(57)【要約】【課題】各種各様な決済手法に対応可能なピンパッドを提供すること。【解決手段】ピンパッドプリンタ２は、外観構成としては、前面に、印字出力部２１と、ＬＥＤランプ部２２と、キーパッド部２３と、充電部２４と、通信部２５とを備えている。印字出力部２１は、決済の内容を所定の用紙に印字して出力する。キーパッド部２３は、クレジットカードやデビットカード等を利用する際に、その保有者であるユーザが暗証番号を入力するための数字等が配列されている小型基盤、即ち、いわゆるピンパッドにより構成されている。通信部２５は、Ｂｌｕｅｔｏｏｔｈ（登録商標）用アンテナを含み、Ｂｌｕｅｔｏｏｔｈ（登録商標）の規格に従って、近距離の端末との間で行う通信を制御する。【選択図】図４
2015052871.tif 000002
【特許請求の範囲】
【請求項１】
所定の商品又は役務の料金を支払うための媒体に格納された情報を読み込む読み込み部と、
他の第１装置と第１通信方式で通信する制御を実行する第１通信制御部と、
他の第２装置と第２通信方式で通信する制御を実行する第２通信制御部と、
を備える端末と、
前記端末と前記第１通信方式で通信する制御を実行する通信制御部と、
前記媒体を使用するための暗証番号を入力するためのキーパッド部と、
少なくとも前記料金の支払いの決済内容を用紙に印字して、当該用紙を出力する印字出力部と、
を備える前記他の第１装置として機能するプリンタと、
を含むように構成される決済支援システムであって、
前記プリンタの前記通信制御部は、前記キーパッド部において入力された暗証番号を、前記第１通信方式で前記端末に送信する制御を実行し、
前記端末の前記第１通信制御部は、前記暗証番号を前記第１通信方式で受信する制御を実行し、
前記端末の前記第２通信制御部は、前記第２通信方式で、前記読み込み部により読み込まれた前記媒体の情報と、前記第１通信制御部の制御により受信された前記暗証番号とを、決済処理を行う前記他の第２装置に送信すると共に、前記他の第２装置から送信されてくる決済内容を受信する制御を実行し、
前記端末の前記第２通信制御部は、前記決済内容を、前記第１通信方式で前記プリンタに送信する制御を実行し、
前記プリンタの前記通信制御部は、前記決済内容を、前記第１通信方式で受信する制御を実行し、
前記プリンタの前記印字出力部は、前記通信制御部の制御により受信された前記決済内容を用紙に印字して、当該用紙を出力する、
決済支援システム。
【請求項２】
前記端末は、
前記プリンタとの間で前記第１通信方式で通信される情報に対して、第１方式で暗号化及びその復号をする第１暗号化部と、
前記他の第２装置との間で前記第２通信方式で通信される情報に対して、第２方式で暗号化及びその復号をする第２暗号化部と、
をさらに備え、
前記プリンタは、前記端末との間で前記第１通信方式で通信される情報に対して、前記第１方式で暗号化及びその復号をする暗号化部をさらに備える、
請求項１に記載の決済支援システム。
【請求項３】
所定の商品又は役務の料金を支払うための媒体に格納された情報を読み込む読み込み部と、
他の第１装置と第１通信方式で通信する制御を実行する第１通信制御部と、
他の第２装置と第２通信方式で通信する制御を実行する第２通信制御部と、
を備える端末と、
前記端末と前記第１通信方式で通信する制御を実行する通信制御部と、
前記媒体を使用するための暗証番号を入力するためのキーパッド部と、
少なくとも前記料金の支払いの決済内容を用紙に印字して、当該用紙を出力する印字出力部と、
を備える前記他の第１装置として機能するプリンタと、
を含むように構成される決済支援システムが実行する決済支援方法であって、
前記プリンタの前記通信制御部は、前記キーパッド部において入力された暗証番号を、前記第１通信方式で前記端末に送信する制御を実行し、
前記端末の前記第１通信制御部は、前記暗証番号を前記第１通信方式で受信する制御を実行し、
前記端末の前記第２通信制御部は、前記第２通信方式で、前記読み込み部により読み込まれた前記媒体の情報と、前記第１通信制御部の制御により受信された前記暗証番号とを、決済処理を行う前記他の第２装置に送信すると共に、前記他の第２装置から送信されてくる決済内容を受信する制御を実行し、
前記端末の前記第２通信制御部は、前記決済内容を、前記第１通信方式で前記プリンタに送信する制御を実行し、
前記プリンタの前記通信制御部は、前記決済内容を、前記第１通信方式で受信する制御を実行し、
前記プリンタの前記印字出力部は、前記通信制御部の制御により受信された前記決済内容を用紙に印字して、当該用紙を出力する、
決済支援方法。
【請求項４】
所定の商品又は役務の料金を支払うための媒体に格納された情報を読み込む機能と、
他の第１装置と第１通信方式で通信する制御を実行する機能と、
他の第２装置と第２通信方式で通信する制御を実行する機能と、
を有する端末との間で、前記第１通信方式で通信する制御を実行する通信制御部と、
前記媒体を使用するための暗証番号を入力するためのキーパッド部と、
少なくとも前記料金の支払いの決済内容を用紙に印字して、当該用紙を出力する印字出力部と、
を備え、
前記通信制御部は、前記キーパッド部において入力された暗証番号を、前記第１通信方式で前記端末に送信する制御を実行し、
前記端末が、前記暗証番号を前記第１通信方式で受信し、前記第２通信方式で、読み込まれた前記媒体の情報と受信された前記暗証番号とを、決済処理を行う前記他の第２装置に送信し、前記他の第２装置から送信されてくる決済内容を受信して、前記決済内容を送信してきた場合、前記通信制御部は、前記決済内容を、前記第１通信方式で受信する制御を実行し、
前記印字出力部は、前記通信制御部の制御により受信された前記決済内容を用紙に印字して、当該用紙を出力する、
決済支援装置。
【請求項５】
前記端末との間で前記第１通信方式で通信される情報に対して、所定の方式で暗号化及びその復号をする暗号化部をさらに備える、
請求項４に記載の決済支援装置。
【発明の詳細な説明】
【技術分野】
【０００１】
本発明は、決済支援システム及び方法、並びに決済支援装置に関する。
【背景技術】
【０００２】
従来より、現金決済の代わりに、各種カード媒体による電子決済が広く利用されている。このような電子決済を行うためのカード媒体としては、例えば、クレジットカードやデビットカードが存在する。
【０００３】
クレジットカードやデビットカードによる電子決済では、本人（カード保有者）の暗証番号の入力が必要になる。このような暗証番号の入力を行うための装置は、ピンパッドと呼ばれている（特許文献１参照）。
【先行技術文献】
【特許文献】
【０００４】
【特許文献１】特開２００９−０７０１６５号公報
【発明の概要】
【発明が解決しようとする課題】
【０００５】
本出願人らは、電子決済の新たな手法を適用可能な端末を開発し、既に幾つかの特許出願（特願２０１３−０４２１８１号や特願２０１３−０９７５０５号）をしている。このように、電子決済の新たな手法が近年登場してきており、電子決済の各種各様な手法に対応可能なピンパッドも要求されるようになっている。
【０００６】
本発明は、このような状況に鑑みてなされたものであり、電子決済の各種各様な手法に対応可能なピンパッドを提供することを目的とする。
【課題を解決するための手段】
【０００７】
本発明の一態様の決済支援システムは、
所定の商品又は役務の料金を支払うための媒体に格納された情報を読み込む読み込み部と、
他の第１装置と第１通信方式で通信する制御を実行する第１通信制御部と、
他の第２装置と第２通信方式で通信する制御を実行する第２通信制御部と、
を備える端末と、
前記端末と前記第１通信方式で通信する制御を実行する通信制御部と、
前記媒体を使用するための暗証番号を入力するためのキーパッド部と、
少なくとも前記料金の支払いの決済内容を用紙に印字して、当該用紙を出力する印字出力部と、
を備える前記他の第１装置として機能するプリンタと、
を含むように構成される決済支援システムであって、
前記プリンタの前記通信制御部は、前記キーパッド部において入力された暗証番号を、前記第１通信方式で前記端末に送信する制御を実行し、
前記端末の前記第１通信制御部は、前記暗証番号を前記第１通信方式で受信する制御を実行し、
前記端末の前記第２通信制御部は、前記第２通信方式で、前記読み込み部により読み込まれた前記媒体の情報と、前記第１通信制御部の制御により受信された前記暗証番号とを、決済処理を行う前記他の第２装置に送信すると共に、前記他の第２装置から送信されてくる決済内容を受信する制御を実行し、
前記端末の前記第２通信制御部は、前記決済内容を、前記第１通信方式で前記プリンタに送信する制御を実行し、
前記プリンタの前記通信制御部は、前記決済内容を、前記第１通信方式で受信する制御を実行し、
前記プリンタの前記印字出力部は、前記通信制御部の制御により受信された前記決済内容を用紙に印字して、当該用紙を出力する、
ことを特徴とする。
【０００８】
ここで、前記端末は、
前記プリンタとの間で前記第１通信方式で通信される情報に対して、第１方式で暗号化及びその復号をする第１暗号化部と、
前記他の第２装置との間で前記第２通信方式で通信される情報に対して、第２方式で暗号化及びその復号をする第２暗号化部と、
をさらに備え、
前記プリンタは、前記端末との間で前記第１通信方式で通信される情報に対して、前記第１方式で暗号化及びその復号をする暗号化部をさらに備える、
ようにすることができる。
【０００９】
本発明の一態様の決済支援方法は、上述の本発明の一態様の決済支援システムに対応する方法である。また、本発明の一態様の決済支援装置は、上述の本発明の一態様の決済支援システムのうち、プリンタに対応する装置である。
【発明の効果】
【００１０】
本発明によれば、電子決済の各種各様な手法に対応可能なピンパッドを提供することができる。
【図面の簡単な説明】
【００１１】
【図１】本発明の一実施形態に係る決済支援システムの構成を示す模式図である。
【図２】図１の決済支援システムにおける店舗端末の外観構成の概略を示す斜視図である。
【図３】図１の決済支援システムにおける店舗端末の内部のハードウェア構成を示すブロック図である。
【図４】図１の決済支援システムにおけるピンパッドプリンタ、即ち本発明の一実施形態に係る決済装置の外観構成の概略を示す斜視図である。
【図５】図１の決済支援システムにおけるピンパッドプリンタ、即ち本発明の一実施形態に係る決済装置の内部のハードウェア構成を示すブロック図である。
【図６】図１の決済支援システムの処理の流れを説明するアローチャートである。
【発明を実施するための形態】
【００１２】
以下、図面を参照しながら、本発明の実施形態について説明する。
【００１３】
［企業通貨管理システムの概要］
図１は、本発明の一実施形態に係る決済支援システムの構成を示す。
図１に示す決済支援システムは、店舗端末１−１〜１−ｍと、ピンパッドプリンタ２−１〜２−ｍと、管理サーバ３と、課金サーバ４とがネットワークＮを介して相互に接続されることによって、構成されている。
【００１４】
ｎ枚（ｎは、１以上の任意の整数値）のカード媒体Ｃ−１〜Ｃ−ｎは、例えば、所定の商品や役務を提供する事業者によって発行されたものであり、非接触通信が可能なＩＣ（集積回路：Ｉｎｔｅｇｒａｔｅｄ  Ｃｉｒｃｕｉｔ）や磁気カードにより構成され、情報（データ）の記録や演算をする機能が備えられている。以下、カード媒体Ｃ−１〜Ｃ−ｎを個々に区別する必要がない場合、これらをまとめて単に「カード媒体Ｃ」と呼ぶ。
カード媒体Ｃには、上述の事業者による商品や役務の提供に対する支払いに使用可能な企業通貨（ポイント）が対応付けられている。ここで、「企業通貨が対応付けられる」とは、企業通貨がカード媒体Ｃに直に記憶されていることを意味せず、当該カード媒体Ｃを用いて使用可能な企業通貨の額が管理サーバ３によって管理されていることを意味する。
即ち、カード媒体Ｃは、上述の事業者の商品や役務の提供に対する対価の支払い等において企業通貨を使用するという用途を有しているが、企業通貨自体は記憶せずに、自己を一意に識別するための識別子（カード番号）等のみを記憶している。
【００１５】
ｍ台（ｍは、１以上の任意の整数値）の店舗端末１−１〜１−ｍの各々は、例えば、ｍ種類の別々の事業者の各々によって所有される。また、店舗端末１−１〜１−ｍの各々に対して、ピンパッドプリンタ２−１〜２−ｍの各々１台ずつ対応付けられて設けられている。
ここで、事業者は、任意の商品提供者又は任意の役務提供者であり、例えば、タクシーの配車サービスを行う者もあり得るが、説明の便宜上本実施形態では、レストラン等の飲食業やヘヤサロン等、店舗Ｔで営業を行う者とする。また、１の事業者の店舗Ｔには、複数台の店舗端末が配布され得るが、本実施形態では、ｍ種類の別々の事業者の各々の店舗Ｔに対して、店舗端末１−１〜１−ｍの各々が１台ずつ配布されている。なお、以下、店舗端末１−１〜１−ｍを個々に区別する必要がない場合、これらをまとめて、「店舗端末１」と呼ぶ。
また、店舗端末１と呼んでいる場合には、ピンパッドプリンタ２−１〜２−ｍをまとめて「ピンパッドプリンタ２」と呼ぶ。
【００１６】
管理サーバ３は、上述の事業者Ｔとは別の者が管理するサーバとして構成され、カード媒体Ｃに対応付けられる企業通貨を管理すると共に、カード媒体Ｃの他、既存の電子マネーやクレジットカード等により店舗端末１に対して支払いがなされた場合に、その支払いの決済を管理する。
【００１７】
例えば本実施形態では、カード媒体Ｃ毎に、所定の額の企業通貨が予め対応付けられている（予め付与されている）。カード媒体Ｃの所有者（例えば図１の例では店舗Ｔを利用するユーザＵ）は、当該カード媒体Ｃに対応付けられた企業通貨を利用して、上述の事業者によるサービスの提供に対する支払いをすることができる。
ただし、この企業通貨による支払いは、カード媒体Ｃが有効化されていることが条件となる。即ち、有効化されていないカード媒体Ｃは、たとえ所定の額の企業通貨が対応付けられていたとしても、企業通貨による支払いを行うことができない。
従って、本実施形態のカード媒体Ｃでは、第三者による無断使用がされようとした場合であっても、有効化がなされていない状態であれば、当該カード媒体Ｃに対応付けられた企業通貨が使用されることはない。従って、事業者は、企業通貨が対応付けられたカード媒体Ｃを不特定多数の人に対して安心して配布できることに伴い、企業通貨が対応付けられたカード媒体Ｃの普及を図ることができると共に、当該企業通貨が対応付けられたカード媒体を利用した各種各様の事業者の広告宣伝活動を容易に実現することができる。
管理サーバ３は、このようなカード媒体Ｃ毎の有効化の管理を行う。
【００１８】
また例えば、管理サーバ３は、有効化されている企業通貨について、その額の加減算をカード媒体Ｃ毎に管理する。
より詳細には、管理サーバ３は、所定の基本地域（例えばカード媒体Ｃの発行国）の為替通貨を基軸通貨として、所定の条件に基づいて、基軸通貨と企業通貨との対応関係を可変設定する。基軸通貨と企業通貨との対応関係として、例えば企業通貨（ポイント）の基軸通貨への換算ルート（以下、「企業通貨レート」と呼ぶ）を採用することができる。
所定の条件として、例えば行為地が韓国の場合には、行為地が基本地域（例えば日本）の場合と比較してα（αは、０以上の任意の値）の価値があるという条件を設定できる。この場合、行為地が日本国であれば、企業通貨レートが例えば１ポイント＝１円と設定されるところ、行為地が韓国であれば、企業レートが例えば１ポイント＝１×α円と設定される。さらに、当該所定の条件は、行為地毎に可変することができる。即ち、例えば行為地が米国の場合には、行為地が基本地域（例えば日本）の場合と比較してβ（βは、αとは異なる０以上の任意の値）の価値があるという条件を設定できる。この場合、行為地が日本国であれば、企業通貨レートが例えば１ポイント＝１円と設定されるところ、行為地が米国であれば、企業レートが例えば１ポイント＝１×β円と設定される。
さらにまた、αやβ自体も任意のタイミングで可変設定することが可能である。例えば、管理サーバ３は、毎日朝９時等の所定のタイミングに、円とウォンの為替通貨レート（何かしらの公の機関が発表するもの）に基づいて、αの設定を更新することができる。同様に、管理サーバ３は、毎日朝９時等の所定のタイミングに、円と米国ドルの為替通貨レート（何かしらの公の機関が発表するもの）に基づいて、βの設定を更新することができる。
或いはまた、所定の条件として、例えば行為地が同一の場合であっても、カード媒体Ｃを発行する事業者毎に異なる条件を設定することも可能である。この場合、例えば甲社が支払い先のときには、企業通貨レートが例えば１ポイント＝１×γ円と設定されるところ、乙社が支払い先のときには、企業通貨レートが例えば１ポイント＝１×θ円と設定される。なお、γとθとは相異なる値であって、夫々０以上の任意の値である。
管理サーバ３は、行為地を特定すると共に、カード媒体Ｃにより支払われる商品又は役務の対価の額を、行為地の為替通貨の額で認識する。
管理サーバ３は、可変設定される企業通貨レート、及び、特定された行為地の為替通貨と基軸通貨との為替レート（行為地が韓国であれば、例えば１ウォン＝０．０８３４円）とに基づいて、カード媒体Ｃにより支払われる商品又は役務の対価の額について、認識された行為地の為替通貨の額（例えば行為地が韓国であればウォンで認識された額）を、企業通貨の額（ポイント数）に換算する。
管理サーバ３は、カード媒体Ｃに対応付けられた企業通貨を用いて、カード媒体Ｃにより支払われる商品又は役務の対価の額を減額する管理を実行する。
その際、管理サーバ３は、カード媒体Ｃによる支払いのために企業通貨の額を減額した場合、行為地の為替通貨又は基軸通貨を用いて減額分を課金する処理（以下、「課金処理」と呼ぶ）を、課金サーバ４に対して依頼する。
【００１９】
課金サーバ４は、管理サーバ３からの依頼に基づいて、課金処理を実行する。即ち、課金サーバ４は、カード媒体Ｃによる支払いのために減算された企業通貨の額の分を、行為地の為替通貨又は基軸通貨を用いて課金する。
【００２０】
さらに、課金サーバ４による課金処理の実行可能な対象は、カード媒体Ｃのみならず、既存の電子マネー、クレジットカード、デビットカード等任意でよい。
換言すると、店舗端末１は、上述の事業者によるサービスの提供に対するユーザＵの支払いを、カード媒体Ｃのみならず、既存の電子マネー、デビットカード、クレジットカード等任意の媒体で受け付けることができる。
この場合、ユーザＵは、クレジットカードやデビットカードで支払いをするとき、暗証番号を入力する必要がある。また、店舗Ｔ及びユーザＵの夫々は、決済内容が印字された所定の用紙を受け取る必要がある。これらの機能が１台に集約されたものが、本実施形態のピンパッドプリンタ２である。即ち、ピンパッドプリンタ２は、ピンパッドの機能を有するキーパッド部（後述の図４のキーパッド部２３）と、決済内容を用紙に印字して出力する印字出力部（後述の図４の印字出力部２１）とを有している。ピンパッドプリンタ２の詳細については、図４以降の図面を参照して後述する。
【００２１】
次に、このような決済支援システムのうち、店舗端末１については図２及び図３を参照して、ピンパッドプリンタ２については図４及び図５を参照して、その順番に外観及び内部の構成について個別に説明する。
【００２２】
［店舗端末１の構成］
先ず、図１の決済支援システムのうち、店舗端末１の構成の詳細について説明する。
図２は、店舗端末１の外観構成の概略を示す斜視図である。
図３は、店舗端末１の内部のハードウェア構成を示すブロック図である。
【００２３】
店舗端末１は、上述したように、カード媒体Ｃの他、既存の電子マネー、デビットカード、クレジットカード等を用いた決済を実現可能な、タブレット型の携帯電子機器として構成されている。
図２に示すように、店舗端末１は、外観構成としては、筐体２Ｔと、タッチパネル機能を有する表示部３Ｔと、磁気読み取り部４Ｔと、接触型ＩＣ読み取り部５Ｔと、非接触型ＩＣ読み取り部６Ｔとを備えている。
【００２４】
筐体２Ｔは、店舗端末１の外形的主要部を構成するものであり、扁平な板状の略直方体形状を有する。筐体２Ｔは、横長の略矩形の前面２１Ｔ及び背面２２Ｔと、上側面２３Ｔと、下側面２４Ｔと、右側面２５Ｔと、左側面２６Ｔとを備える。
【００２５】
なお、本明細書において「略矩形」は、全体視で矩形とみなせる形状を全て含み、例えば、完全な矩形、角部が丸みを帯びた矩形、辺が少し湾曲した形状等も含む。
筐体２Ｔは、主に前面２１Ｔを構成するフロントカバー２１０Ｔと、主に上側面２３Ｔ、下側面２４Ｔ、右側面２５Ｔ及び左側面２６Ｔを構成するフレーム２３０Ｔと、主に背面２２Ｔを構成するリアカバー２２０Ｔとを備える。
【００２６】
各図面において筐体２Ｔの厚さ方向、縦方向及び横方向を夫々厚さ方向Ｄ１、縦方向Ｄ２及び横方向Ｄ３と呼ぶ。また、厚さ方向Ｄ１において、前面２１Ｔに向かう方向を前方向Ｄ１１と呼び、背面２２Ｔに向かう方向を背方向Ｄ１２と呼ぶ。縦方向Ｄ２において、上側面２３Ｔに向かう方向を上方向Ｄ２１と呼び、下側面２４Ｔに向かう方向を下方向Ｄ２２と呼ぶ。横方向Ｄ３において、右側面２５Ｔに向かう方向を右方向Ｄ３１と呼び、左側面２６Ｔに向かう方向を左方向Ｄ３２と呼ぶ。
【００２７】
フロントカバー２１０Ｔは、ガラスやプラスチックのような透光性材料で構成されている。フロントカバー２１０Ｔは、矩形の透明な表示領域２１１Ｔと、表示領域２１１Ｔの４辺を取り囲む不透明な枠状領域２１２Ｔとを備えている。表示領域２１１Ｔ及び枠状領域２１２Ｔは、同一の平面上に配置されている。
リアカバー２２０Ｔは、例えばアルミニウム合金やマグネシウム合金のような金属材料で構成されている。
フロントカバー２１０Ｔとリアカバー２２０Ｔとは、筐体２Ｔの厚さ方向Ｄ１に互いに間隔を有して平行に配置されている。つまり、リアカバー２２０Ｔは、フロントカバー２１０Ｔに対して筐体２Ｔの厚さ方向Ｄ１の反対側に配置されている。
【００２８】
フレーム２３０Ｔは、フロントカバー２１０Ｔとリアカバー２２０Ｔとの間に設けられている。フレーム２３０Ｔは、例えばアルミニウム合金やマグネシウム合金のような金属材料、又は高剛性樹脂で構成されている。高剛性樹脂とは、例えば、樹脂中にガラス繊維、カーボン繊維、その他の強化繊維及びタルクのような添加剤を混入した繊維強化樹脂である。
フレーム２３０Ｔは、上側面２３Ｔ、下側面２４Ｔ、右側面２５Ｔ及び左側面２６Ｔを構成するように、周方向に連続している。
【００２９】
表示部３Ｔは、筐体２Ｔの前面２１Ｔに設けられる。表示部３Ｔは、タッチパネルの機能も有している。当該タッチパネル機能を実現するために、接触式の入力機能を有する圧電式又は静電式のセンサが、フロントカバー２１０Ｔの表示領域２１１Ｔの裏面側に、接着等の手段により固定されている。表示部３Ｔはまた、筐体２Ｔの前面視において、画像を表示する略矩形の液晶型等のディスプレイを有している。
【００３０】
磁気読み取り部４Ｔは、磁気カードの読み取り処理を行う。接触型ＩＣ読み取り部５Ｔは、接触型ＩＣカードの読み取り処理を行う。非接触型ＩＣ読み取り部６Ｔは、非接触型ＩＣカードの読み取り処理を行う。
磁気読み取り部４Ｔ、接触型ＩＣ読み取り部５Ｔ及び非接触型ＩＣ読み取り部６Ｔは、筐体２Ｔと一体的に構成されている。
【００３１】
磁気読み取り部４Ｔは、図示せぬ磁気センサと磁気用挿入溝４２Ｔとを備える。
磁気センサは、磁気ヘッドとも呼ばれるもので、磁気カードＣ１の磁気記録部から磁気情報を取得する。磁気用挿入溝４２Ｔは、磁気カードの磁気記録部を磁気センサの位置に誘導するために筐体２Ｔに設けられる。磁気センサは、その検出部が磁気用挿入溝４２Ｔの内部に向くように、筐体２Ｔの内側に配置される。
【００３２】
磁気用挿入溝４２Ｔは、縦方向Ｄ２に直線状に延びており、上側面２３Ｔ及び下側面２４Ｔに開放している。また、磁気用挿入溝４２Ｔは、右側面２５Ｔに開放しており、左方向Ｄ３２に向けて有底で凹んでいる。磁気用挿入溝４２Ｔの底部は、縦方向Ｄ２に直線状に延びている。磁気用挿入溝４２Ｔの厚さ（筐体２Ｔの厚さ方向Ｄ１の厚さ）は、磁気カードの厚さ（名義やカード番号を打刻したエンボス部以外の領域の厚さ）よりも、わずかに厚い。
【００３３】
そのため、磁気カードを磁気用挿入溝４２Ｔに挿入した後、磁気カードをガタ付かせることなく縦方向Ｄ２にスライドさせることができる。なお、磁気カードを磁気用挿入溝４２Ｔの底部まで挿入させても、磁気カードのエンボス部は、磁気用挿入溝４２Ｔに位置しない。
磁気カードの一部を磁気用挿入溝４２Ｔの内部に位置させて、磁気カードを縦方向Ｄ２に移動させることにより、磁気カードの磁気記録部の磁気情報は、磁気センサ４１Ｔにより取得される。
【００３４】
接触型ＩＣ読み取り部５Ｔは、接触型ＩＣセンサとＩＣ用挿入溝５２Ｔとを備える。
接触型ＩＣセンサは、接触型ＩＣカードのＩＣチップに接触して、ＩＣチップから電子情報を取得する。ＩＣ用挿入溝５２Ｔは、接触型ＩＣカードのＩＣチップを接触型ＩＣセンサの位置に誘導するために筐体２Ｔに設けられる。
【００３５】
ＩＣ用挿入溝５２Ｔは、右側面２５Ｔにおいて開放しており、左方向Ｄ３２に向けて有底で凹んでいる。ＩＣ用挿入溝５２Ｔの底部は、磁気用挿入溝４２Ｔの底部よりも左方向Ｄ３２に位置している。換言すると、ＩＣ用挿入溝５２Ｔへの接触型ＩＣカードの挿入方向（左方向Ｄ３２）において、ＩＣ用挿入溝５２Ｔは、磁気用挿入溝４２Ｔよりも深くなっている。
つまり、ＩＣ用挿入溝５２Ｔへの接触型ＩＣカードの挿入方向（左方向Ｄ３２）において、ＩＣ用挿入溝５２Ｔの底部は、磁気用挿入溝４２Ｔの底部よりも奥の領域に設けられている。奥の領域とは、ＩＣ用挿入溝５２Ｔのうち、磁気用挿入溝４２Ｔよりも奥の領域である。
接触型ＩＣセンサは、その検出部がＩＣ用挿入溝５２Ｔの奥の領域の内部に向くように、筐体２Ｔの内側に配置される。
【００３６】
非接触型ＩＣ読み取り部６Ｔは、アンテナと非接触型ＩＣセンサとを備える。非接触型ＩＣカードは、ＩＣチップとアンテナとを備える。非接触型ＩＣセンサのアンテナと非接触型ＩＣカードのアンテナとの間でデータを送受信することにより、非接触型ＩＣ読み取り部６Ｔは、筐体２Ｔの前面２１Ｔの側であって非接触型ＩＣセンサの近傍に配置された非接触型ＩＣカードにおけるＩＣチップから、電子情報を取得する。非接触型ＩＣカードの例としては、ＮＦＣ（Ｎｅａｒ  Ｆｉｅｌｄ  Ｃｏｍｍｕｎｉｃａｔｉｏｎ）規格のカードが挙げられる。
非接触型ＩＣカードを非接触型ＩＣ読み取り部６Ｔに近接させることにより、非接触型ＩＣカードのＩＣチップの電子情報は、非接触型ＩＣセンサにより取得される。
【００３７】
このように、筐体２Ｔの前面視において、磁気読み取り部４Ｔ及び接触型ＩＣ読み取り部５Ｔは、筐体２Ｔにおける一方の縦側面（右側面２５Ｔ）の側に配置されている。また、非接触型ＩＣ読み取り部６Ｔは、筐体２Ｔにおける他方の縦側面（左側面２６Ｔ）の側に配置されている。
【００３８】
図３に示すように、店舗端末１は、ハードウェア構成の観点からすると、ＣＰＵ（Ｃｅｎｔｒａｌ  Ｐｒｏｃｅｓｓｉｎｇ  Ｕｎｉｔ）１１１と、ＲＯＭ（Ｒｅａｄ  Ｏｎｌｙ  Ｍｅｍｏｒｙ）１１２と、ＲＡＭ（Ｒａｎｄｏｍ  Ａｃｃｅｓｓ  Ｍｅｍｏｒｙ）１１３と、バス１１４と、入出力インターフェース１１５と、出力部１１６と、入力部１１７と、記憶部１１８と、通信部１１９と、Ｒ／Ｗ部１２０と、ドライブ１２１とを備えている。
【００３９】
ＣＰＵ１１１は、ＲＯＭ１１２に記録されているプログラム、又は、記憶部１１８からＲＡＭ１１３にロードされたプログラムに従って各種の処理を実行する。
ＲＡＭ１１３には、ＣＰＵ１１１が各種の処理を実行する上において必要なデータ等も適宜記憶される。
【００４０】
ＣＰＵ１１１、ＲＯＭ１１２及びＲＡＭ１１３は、バス１１４を介して相互に接続されている。このバス１１４にはまた、入出力インターフェース１１５も接続されている。入出力インターフェース１１５には、出力部１１６、入力部１１７、記憶部１１８、通信部１１９、Ｒ／Ｗ部１２０、及びドライブ１２１が接続されている。
【００４１】
出力部１１６は、ディスプレイ（図２の表示部３Ｔ）やスピーカ等で構成され、画像や音声を出力する。
入力部１１７は、各種釦等で構成され、オペレータの指示操作に応じて各種情報を入力する。図２の表示部３Ｔに設けられる、接触式の入力機能を有する圧電式又は静電式のセンサも、入力部１１７の一部を構成している。
記憶部１１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１１９は、例えばＷｉ−Ｆｉの規格に従って、インターネットを含むネットワークＮを介して他の装置（図１の例では管理サーバ３や課金サーバ４）との間で行う通信を制御する。また、通信部１１９は、Ｂｌｕｅｔｏｏｔｈ（登録商標）の規格に従って、近距離の他の装置（図１の例ではピンパッドプリンタ２）との間で行う通信を制御する。
【００４２】
Ｒ／Ｗ部１２０は、カード媒体Ｃの他、既存の電子マネー、デビットカード、クレジットカード等の任意の媒体のリーダ／ライタ機能を有し、当該媒体に組み込まれたＩＣ等と接触又は非接触通信を行うことにより、当該媒体に記憶された情報を読み出したり、当該媒体をカード媒体Ｃに書き込むことができる。
ここで、カード媒体Ｃの他、既存の電子マネー、デビットカード、クレジットカード等の形態は特に限定されない。そこで、カード媒体Ｃ等の各種各様な形態に対応できるように、図２で上述した各種読み取り部、具体的には、磁気カード用の磁気読み取り部４Ｔ、接触型ＩＣカード用の接触型ＩＣ読み取り部５Ｔ、及び非接触型ＩＣカード用の非接触型ＩＣ読み取り部６Ｔ等が店舗端末１に設けられている。即ち、図２で上述した各種読み取り部は、Ｒ／Ｗ部１２０の一部を構成する。
【００４３】
ドライブ１２１には、磁気ディスク、光ディスク、光磁気ディスク、或いは半導体メモリ等よりなる、リムーバブルメディア１３１が適宜装着される。ドライブ１２１によってリムーバブルメディア１３１から読み出されたプログラムは、必要に応じて記憶部１１８にインストールされる。また、リムーバブルメディア１３１は、記憶部１１８に記憶されている各種データも、記憶部１１８と同様に記憶することができる。
【００４４】
以上、図２及び図３を参照して、図１の決済支援システムのうち、店舗端末１の外観及び内部の構成について説明した。次に、図４及び図５を参照して、ピンパッドプリンタ２の外観及び内部の構成について説明する。
【００４５】
［ピンパッドプリンタ２の構成］
図４は、ピンパッドプリンタ２の外観構成の概略を示す正面図である。
図５は、ピンパッドプリンタ２の内部のハードウェア構成を示すブロック図である。
図４に示すように、ピンパッドプリンタ２は、外観構成としては、前面（同図に図示されている面）に、印字出力部２１と、ＬＥＤランプ部２２と、キーパッド部２３と、充電部２４と、通信部２５とを備えている。
【００４６】
印字出力部２１は、決済の内容を所定の用紙に印字して出力（排出）する。
ＬＥＤランプ部２２は、通常モード時には、ピンパッドプリンタ２の充電状態を示すように点灯し、決済処理モード時には、ユーザＵによるキーパッド部２３に対する暗証番号の入力操作がなされる毎に点滅する。
キーパッド部２３は、クレジットカードやデビットカード等を利用する際に、その保有者であるユーザＵが暗証番号を入力するための数字等が配列されている小型基盤、即ち、いわゆるピンパッドにより構成されている。
充電部２４は、図示せぬ電源供給部とＵＳＢ（Ｕｎｉｖｅｒｓａｌ  Ｓｅｒｉａｌ  Ｂｕｓ）接続し、電源供給部から供給される電力により、ピンパッドプリンタ２を充電する。
通信部２５は、Ｂｌｕｅｔｏｏｔｈ（登録商標）用アンテナを含み、Ｂｌｕｅｔｏｏｔｈ（登録商標）の規格に従って、近距離の他の装置（図１の例では店舗端末１）との間で行う通信を制御する。
【００４７】
このように、本実施形態のピンパッドプリンタ２は、ピンパッドとして機能するキーパッド部２３と、決済内容を所定の用紙に印字して出力する機能を有する印字出力部２１とが一体となる構成を有している。このようにして、各種各様な決済手法に対応可能なピンパッドが提供される。
ここで、ＩＣカードで決済する場合には、ピンパッドを用いてユーザによる暗証番号の入力が必須になる。このため、従来においては、決済端末、プリンタ、及びピンバッドの３つが別々に必要とされていた。これに対して、本実施形態のピンパッドプリンタ２は、従来のプリンタと従来のピンパッドとの両機能を１台で併せ持つので、設置スペース、操作の容易性、コスト等様々な点で従来よりも有利である。
【００４８】
図５に示すように、ピンパッドプリンタ２は、ハードウェア構成の観点からすると、上述の印字出力部２１乃至通信部２５に加えて、ＣＰＵ２１１と、ＲＯＭ２１２と、ＲＡＭ２１３と、バス２１４と、入出力インターフェース２１５と、記憶部２１６と、ドライブ２１７とを備えている。
【００４９】
ＣＰＵ２１１は、ＲＯＭ２１２に記録されているプログラム、又は、記憶部２１８からＲＡＭ２１３にロードされたプログラムに従って各種の処理を実行する。
ＲＡＭ２１３には、ＣＰＵ２１１が各種の処理を実行する上において必要なデータ等も適宜記憶される。
【００５０】
ＣＰＵ２１１、ＲＯＭ２１２及びＲＡＭ２１３は、バス２１４を介して相互に接続されている。このバス２１４にはまた、入出力インターフェース２１５も接続されている。入出力インターフェース２１５には、上述の印字出力部２１乃至通信部２５の他、記憶部２１６及びドライブ２１７が接続されている。
【００５１】
記憶部２１６は、必要に応じて設けられるＤＲＡＭ等で構成され、各種データを記憶する。
必要に応じて設けられるドライブ２１７には、磁気ディスク、光ディスク、光磁気ディスク、或いは半導体メモリ等よりなる、リムーバブルメディア２３１が適宜装着される。ドライブ２１７によってリムーバブルメディア２３１から読み出されたプログラムは、必要に応じて記憶部２１６にインストールされる。また、リムーバブルメディア２３１は、記憶部２１６に記憶されている各種データも、記憶部２１６と同様に記憶することができる。
【００５２】
次に、図６を参照して、このような図１の決済支援システムが実行する処理のうち、ユーザＵが店舗Ｔにて支払いを開始してから終了するまでの処理について説明する。
図６は、図１の決済支援システムが実行する処理のうち、ユーザＵが店舗Ｔにて支払いを開始してから終了するまでの処理を説明するアローチャートである。
【００５３】
ステップＳａ１において、店舗端末１のＣＰＵ１１１（図３）は、店舗Ｔでユーザが支払うべき料金を、表示部３Ｔ（図２）等に提示する。
【００５４】
なお、ユーザＵは、現金やカード媒体Ｃ等で料金を支払うことが当然にできるが、ここでは、暗証番号の入力が必要なクレジットカードやデビットカード（以下、単に「カード」と呼ぶ）を用いて料金を支払うものとする。
この場合、ユーザＵ又は店舗Ｔの店員等は、例えばカードの種類が磁気カードならば、当該カードを店舗端末１の磁気用挿入溝４２Ｔ（図２）に通す。すると、磁気読み取り部４Ｔは、当該カードの番号等決済に必要な情報（以下、「カード情報」と呼ぶ）を、磁気情報として読み取る。カードの他の種類については説明は省略するが、要するに、カード情報は、Ｒ／Ｗ部２２０（図３）により読み取られて、ＣＰＵ１１１に通知される。
ステップＳａ２において、店舗端末１のＣＰＵ１１１は、カード情報を認識する。
ステップＳａ３において、店舗端末１のＣＰＵ１１１は、暗証番号入力要求を、Ｂｌｕｅｔｏｏｔｈ（登録商標）の規格に従って通信部１１９（図３）からピンパッドプリンタ２に送信する。
【００５５】
ピンパッドプリンタ２のＣＰＵ２１１（図５）は、Ｂｌｕｅｔｏｏｔｈ（登録商標）の規格に従って当該暗証番号入力要求が通信部２５（図４及び図５）において受信されると、その動作モードを、通常動作モードから決済処理モードに切り替える。これにより、ピンパッドプリンタ２側の処理が開始される。
【００５６】
ユーザＵは、ピンパッドプリンタ２のキーパッド部２３（図４及び図５）に対して、カードの暗証番号を入力する操作をする。
ステップＳｂ１において、ピンパッドプリンタ２のＣＰＵ２１１は、このような暗証番号入力を受け付ける。
ステップＳｂ２において、ピンパッドプリンタ２のＣＰＵ２１１は、暗証番号を第１方式で暗号化する。
ここで、暗号化の第１方式は、店舗端末１とピンパッドプリンタ２との間でＢｌｕｅｔｏｏｔｈ（登録商標）の規格に従って通信される情報の漏洩を防止することができ、かつ、店舗端末１とピンパッドプリンタ２との間で共有（相互に暗号化及びその復号が可能という意）できていれば特に限定されないが、後述の第２方式とは独立したものとされる。
ステップＳｂ３において、ピンパッドプリンタ２のＣＰＵ２１１は、暗号化データ（暗証番号）を、Ｂｌｕｅｔｏｏｔｈ（登録商標）の規格に従って通信部２５から店舗端末１に送信する。
【００５７】
ステップＳａ４において、店舗端末１のＣＰＵ１１１（図３）は、暗号化データ（暗証番号）を通信部１１９（図３）において受信する。
ステップＳａ５において、店舗端末１のＣＰＵ１１１は、第１方式に従って暗号化データを復号することにより、暗証番号を復元する。
ステップＳａ６において、店舗端末１のＣＰＵ１１１は、カード情報と暗証番号を第２方式で暗号化する。
ここで、暗号化の第２方式は、店舗端末１と管理サーバ３（さらには課金サーバ４）の間で通信される情報の漏洩を防止することができ、かつ、店舗端末１と管理サーバ３（或いは課金サーバ４）との間で共有（相互に暗号化及びその復号が可能という意）できていれば特に限定されないが、上述の第１方式とは独立したものとされる。
ステップＳａ７において、店舗端末１のＣＰＵ１１１は、暗号化データ（カード情報と暗証番号）を、Ｗｉ−ｆｉの規格に従って通信部１１９からネットワークＮを介して管理サーバ３に送信する。
【００５８】
ステップＳｃ１において、管理サーバ３は、暗号化データ（カード情報と暗証番号）を受信する。
ステップＳｃ２において、管理サーバ３は、第２方式に従って暗号化データを復号することにより、カード情報と暗証番号を復元する。
ステップＳｃ３において、管理サーバ３は、課金サーバ４と適宜協働して、カード情報と参照番号から特定されるカードから料金を課金して決済する処理（以下、「決済処理」と呼ぶ）を実行する。
ステップＳｃ４において、管理サーバ３は、決済内容を第２方式で暗号化する。
ステップＳｃ５において、管理サーバ３は、暗号化データ（決済内容）をネットワークＮを介して店舗端末１に送信する。
これにより、管理サーバ３側の処理は終了となる。
なお、ステップＳｃ１乃至Ｓｃ５の少なくとも一部の処理については、管理サーバ３ではなく、課金サーバ４により実行されてもよい。
【００５９】
ステップＳａ８において、店舗端末１のＣＰＵ１１１（図３）は、暗号化データ（決済内容）を通信部１１９（図３）において受信する。
ステップＳａ９において、店舗端末１のＣＰＵ１１１は、第２方式に従って暗号化データを復号することにより、決済内容を復元する。
ステップＳａ１０において、店舗端末１のＣＰＵ１１１は、決済内容を第１方式で暗号化する。
ステップＳａ１１において、店舗端末１のＣＰＵ１１１は、暗号化データ（決済内容）を、Ｂｌｕｅｔｏｏｔｈ（登録商標）の規格に従って通信部１１９からピンパッドプリンタ２に送信する。
これにより、店舗端末１側の処理は終了となる。
【００６０】
ステップＳｂ４において、ピンパッドプリンタ２のＣＰＵ２１１は、Ｂｌｕｅｔｏｏｔｈ（登録商標）の規格に従って、当該暗号化データ（決済内容）を通信部２５を介して受信する。
ステップＳｂ５において、ピンパッドプリンタ２のＣＰＵ２１１は、第１方式に従って暗号化データを復号することにより、決済内容を復元する。
ステップＳｂ５において、ピンパッドプリンタ２の印字出力部２１（図４）は、決済内容を所定の用紙に印字して、当該用紙を出力（排出）する。
【００６１】
なお、本発明は、上述の実施形態に限定されるものではなく、本発明の目的を達成できる範囲での変形、改良等は本発明に含まれるものである。
【００６２】
上述した一連の処理は、ハードウェアにより実行させることもできるし、ソフトウェアにより実行させることもできる。
【００６３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６４】
このようなプログラムを含む記録媒体は、ユーザにプログラムを提供するために装置本体とは別に配布される図３のリムーバブルメディア１３１や図５のリムーバブルメディア２３１により構成されるだけでなく、装置本体に予め組み込まれた状態でユーザに提供される記録媒体等で構成される。リムーバブルメディア１３１，２３１は、例えば、磁気ディスク（フロッピディスクを含む）、Ｂｌｕ−ｒａｙ  Ｄｉｓｃ（登録商標）（ブルーレイディスク）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）、等により構成される。また、装置本体に予め組み込まれた状態でユーザに提供される記録媒体は、例えば、プログラムが記録されている図３のＲＯＭ１１２，図５のＲＯＭ２１２や、図２の記憶部１１８，図５の記憶部２１６に含まれるハードディスク等で構成される。
【００６５】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【符号の説明】
【００６６】
１・・・店舗端末、２・・・ピンパッドプリンタ、３・・・管理サーバ、４・・・課金サーバ、２１・・・印字出力部、２２・・・ＬＥＤランプ部、２３・・・キーパッド部、２４・・・充電部、２５・・・通信部、１１１・・・ＣＰＵ、１１９・・・通信部、１２０・・・Ｒ／Ｗ部、２１１・・・ＣＰＵ
【図１】
2015052871.tif 000003
【図２】
2015052871.tif 000004
【図３】
2015052871.tif 000005
【図４】
2015052871.tif 000006
【図５】
2015052871.tif 000007
【図６】
2015052871.tif 000008